【手続補正書】
【提出日】平成16年6月23日(2004.6.23)
【手続補正１】
【補正対象書類名】明細書
【補正対象項目名】特許請求の範囲
【補正方法】変更
【補正の内容】
【特許請求の範囲】
【請求項１】
身体の外部皮膚の選択された点に電極対を接触し、該電極対間の生体電気インピーダンス値を測定し、該測定された生体電気インピーダンス値と過去の生体電気インピーダンス値の推移に基づいて婦人の月周期で現れる体調を判定することを特徴とする婦人用体調判定方法。
【請求項２】
身体の外部皮膚の選択された点に電極対を接触し、該電極対間の生体電気インピーダンス値及び体重を測定し、該測定された体重と過去の体重との差異に基づいて該測定された生体電気インピーダンス値を補正し、該体重補正された生体電気インピーダンス値と過去の体重補正された生体電気インピーダンス値の推移に基づいて婦人の月周期で現れる体調を判定することを特徴とする婦人用体調判定方法。
【請求項３】
生体電気インピーダンス値は毎日測定される請求項１もしくは請求項２に記載の方法。
【請求項４】
生体電気インピーダンス値は毎日起床時に測定される請求項１もしくは請求項２に記載の方法。
【請求項５】
生体電気インピーダンス値は両足間で測定される請求項１から請求項４のいずれか１項に記載の方法。
【請求項６】
身体の外部皮膚に接触することができる電極対と、該電極対間の生体電気インピーダンス値を測定するためのインピーダンス測定手段と、該測定された生体電気インピーダンス値を記憶するためのインピーダンス記憶手段と、該測定された生体電気インピーダンス値と過去の生体電気インピーダンス値の推移を表示するためのインピーダンス表示手段とを備えることを特徴とする婦人用体調管理装置。
【請求項７】
前記装置は、体温を測定するための体温測定手段と、該測定された体温を記憶するための体温記憶手段と、該測定された体温と過去の体温の推移を表示するための体温表示手段とを更に備える請求項６に記載の装置。
【請求項８】
前記装置は、体重を測定するための体重測定手段と、該測定された体重を記憶するための体重記憶手段と、該測定された体重と過去の体重との差異に基づいて前記測定された生体電気インピーダンス値を補正するための補正手段とを更に備えており、前記インピーダンス記憶手段は該体重補正された生体電気インピーダンス値を記憶し、前記インピーダンス表示手段は該体重補正された生体電気インピーダンス値と過去の体重補正された生体電気インピーダンス値の推移を表示する請求項６もしくは請求項７に記載の装置。
【請求項９】
身体の外部皮膚に接触することができる電極対と、該電極対間の生体電気インピーダンス値を測定するためのインピーダンス測定手段と、該測定された生体電気インピーダンス値を記憶するためのインピーダンス記憶手段と、該測定された生体電気インピーダンス値と過去の測定された生体電気インピーダンス値の推移に基づいて婦人の月周期で現れる体調を判定するための判定手段と、該判定された体調を表示するための体調表示手段とを備えることを特徴とする婦人用体調管理装置。
【請求項１０】
前記装置は、体温を測定するための体温測定手段と、該測定された体温を記憶するための体温記憶手段とを更に備えており、前記判定手段は、該測定された体温と過去の体温の推移及び前記測定された生体電気インピーダンス値と過去のインピーダンス値の推移に基づいて婦人の月周期で現れる体調を判定する請求項９に記載の装置。
【請求項１１】
前記装置は、体重を測定するための体重測定手段と、該測定された体重を記憶するための体重記憶手段と、該測定された体重と過去の体重との差異に基づいて前記測定された生体電気インピーダンス値を補正するための補正手段とを更に備えており、前記インピーダンス記憶手段は、該体重補正された生体電気インピーダンス値を記憶し、前記判定手段は、該体重補正された生体電気インピーダンス値と過去の体重補正された生体電気インピーダンス値の推移に基づいて婦人の月周期で現れる体調を判定する請求項９に記載の装置。
【請求項１２】
前記装置は、体温を測定するための体温測定手段と、該測定された体温を記憶するための体温記憶手段とを更に備えており、前記判定手段は、該測定された体温と過去の体温の推移及び前記体重補正された生体電気インピーダンス値と過去の体重補正された生体電気インピーダンス値の推移に基づいて婦人の月周期で現れる体調を判定する請求項１１に記載の装置。
【請求項１３】
前記装置は、前記測定された体重を表示するための体重表示手段を更に備える請求項８、請求項１１もしくは請求項１２のいずれか１項に記載の装置。
【請求項１４】
前記装置は、体重を測定するための体重測定手段と、該測定された体重を表示するための体重表示手段とを更に備える請求項６、請求項７、請求項９もしくは請求項１０のいずれか１項に記載の装置。
【請求項１５】
前記装置は、前記判定された体調に関連するアドバイスを表示するためのアドバイス表示手段を更に備える請求項９から請求項１４のいずれか１項に記載の装置。
【請求項１６】
前記装置は、前記測定された生体電気インピーダンス値に基づいて体脂肪率を測定するための演算手段と、該測定された体脂肪率を表示するための体脂肪率表示手段とを更に備える請求項６から請求項１５のいずれか１項に記載の装置。
【手続補正２】
【補正対象書類名】明細書
【補正対象項目名】０００６
【補正方法】変更
【補正の内容】
【０００６】
【課題を解決するための手段】
本発明の一つの観点によれば、身体の外部皮膚の選択された点に電極対を接触し、該電極対間の生体電気インピーダンス値を測定し、該測定された生体電気インピーダンス値と過去の生体電気インピーダンス値の推移に基づいて婦人の月周期で現れる体調を判定することを特徴とする婦人用体調判定方法が提供される。
【手続補正３】
【補正対象書類名】明細書
【補正対象項目名】０００７
【補正方法】変更
【補正の内容】
【０００７】
本発明の別の観点によれば、身体の外部皮膚の選択された点に電極対を接触し、該電極対間の生体電気インピーダンス値及び体重を測定し、該測定された体重と過去の体重との差異に基づいて該測定された生体電気インピーダンス値を補正し、該体重補正された生体電気インピーダンス値と過去の体重補正された生体電気インピーダンス値の推移に基づいて婦人の月周期で現れる体調を判定することを特徴とする婦人用体調判定方法が提供される。
【手続補正４】
【補正対象書類名】明細書
【補正対象項目名】００１１
【補正方法】変更
【補正の内容】
【００１１】
本発明の更に別の観点によれば、身体の外部皮膚に接触することができる電極対と、該電極対間の生体電気インピーダンス値を測定するためのインピーダンス測定手段と、該測定された生体電気インピーダンス値を記憶するためのインピーダンス記憶手段と、該測定された生体電気インピーダンス値と過去の生体電気インピーダンス値の推移を表示するためのインピーダンス表示手段とを備えることを特徴とする婦人用体調管理装置が提供される。
【手続補正５】
【補正対象書類名】明細書
【補正対象項目名】００１４
【補正方法】変更
【補正の内容】
【００１４】
本発明の更に別の観点によれば、身体の外部皮膚に接触することができる電極対と、該電極対間の生体電気インピーダンス値を測定するためのインピーダンス測定手段と、該測定された生体電気インピーダンス値を記憶するためのインピーダンス記憶手段と、該測定された生体電気インピーダンス値と過去の測定された生体電気インピーダンス値の推移に基づいて婦人の月周期で現れる体調を判定するための判定手段と、該判定された体調を表示するための体調表示手段とを備えることを特徴とする婦人用体調管理装置が提供される。
【手続補正６】
【補正対象書類名】明細書
【補正対象項目名】００３１
【補正方法】変更
【補正の内容】
【００３１】
体重計付き生体電気インピーダンス計２０の上面には、定電流印加用電極２１ａ、２１ｂ及び電圧測定用電極２２ａ、２２ｂが設けられており、また、制御ボックス４０の前面には、電源スイッチ４１ａ、測定キー４１ｂ、アップキー４１ｃ、ダウンキー４１ｄ、月経開始日キー４１ｅ、月経終了日キー４１ｆといった一群の操作キー、及び、アドバイス表示領域４２ｂを含む表示部４２ａが設けられている。
【手続補正７】
【補正対象書類名】明細書
【補正対象項目名】００３２
【補正方法】変更
【補正の内容】
【００３２】
図１０は、図９に示した婦人用体調管理装置の機能構成を示すブロック図である。図１０に示されるように、体重計付き生体電気インピーダンス計２０には、定電流印加用電極２１ａ、２１ｂと、定電流印加用電極２１ａ、２１ｂに印加される高周波の微弱な定電流を生成するための高周波定電流回路２３と、電圧測定用電極２２ａ、２２ｂと、電圧測定用電極２２ａ、２２ｂ間の電圧を測定するための電圧測定回路２４と、被判定者の体重を測定するための体重測定装置２５と、測定された電圧及び体重をＡ／Ｄ変換するためのＡ／Ｄ変換器２８とが備えられている。
【手続補正８】
【補正対象書類名】明細書
【補正対象項目名】００３４
【補正方法】変更
【補正の内容】
【００３４】
本実施例では、各機能要素が上述のように体重計付き生体電気インピーダンス計２０と制御ボックス４０とに分離されているが、本発明はこれに限られず、例えばＣＰＵ４５は制御ボックス４０ではなく体重計付き生体電気インピーダンス計２０に備えられていても良く、また、体重計付き生体電気インピーダンス計２０と制御ボックス４０とが一体となった構成とされていても良い。
【手続補正９】
【補正対象書類名】明細書
【補正対象項目名】００３７
【補正方法】変更
【補正の内容】
【００３７】
ステップ３から、測定モードが始まる。被判定者が左足裏及び右足裏のつま先を定電流印加用電極２１ａ及び２１ｂにそれぞれ接触させ、また、左足裏及び右足裏のかかとを電圧測定用電極２２ａ、２２ｂにそれぞれ接触させて、体重計付き生体電気インピーダンス計１０に素足で乗ると、体重測定装置２５は重量を検知して被判定者の体重の測定を開始する。続いて、ステップ４では、高周波定電流回路２３によって生成された高周波の微弱な定電流が、定電流印加用電極２１ａ及び２１ｂを介して被判定者のつま先に印加され、被判定者の下腹部を含む両足間に流される。そして、電圧測定回路２４によって電圧測定用電極２２ａ、２２ｂ間の電圧が測定され、ＢＩが測定される。ステップ５では、ステップ４で測定されたＢＩが、上述したような補正式に基づいて補正される。これにより、体重変化の影響が除去された体重補正ＢＩが算定される。
【手続補正１０】
【補正対象書類名】明細書
【補正対象項目名】００３８
【補正方法】変更
【補正の内容】
【００３８】
ステップ６では、ＣＰＵ２５において、上述したようなＢＩと婦人の月周期で現れる体調との関係に基づいて、ステップ５で得られた今回測定された体重補正ＢＩや記憶装置４４に記憶されている前回までに測定された体重補正ＢＩ、同じく記憶装置４４に記憶されている月経期間データ等から被判定者の排卵日やＰＭＳ期等の体調が判定される。そして、ステップ７では、体重補正ＢＩの推移等が表示部４２ａに表示され、また、体調の判定結果や体調の判定結果に関連するアドバイス等が表示部４２ａ中のアドバイス表示領域４２ｂに表示される。アドバイス表示領域４２ｂに表示する体調の判定結果としては、例えば排卵日、ＰＭＳ期、月経期、妊娠可能期等といった体調や、体調不良期、イライラし易い、むくみ発生等といった体調に伴って現れる症状が表示される。また、体調の判定結果に関連するアドバイスとしては、例えば「月経前、ＰＭＳ期、むくみ、イライラし易いので注意、ビタミンＢを取りましょう」、「月経期間中、もう少し我慢、貧血に注意、鉄分を取りましょう」、「月経終了、絶好調、積極的に運動しましょう」、「排卵期、体調下降気味、食べ過ぎに注意しましょう」といった食生活を含む生活行動上の注意点等が表示される。ステップ８では、今回測定された体重補正ＢＩや体重等が記憶装置４４に記憶される。その後、ステップ９で、自動的に電源がオフにされ、測定は終了する。
【手続補正１１】
【補正対象書類名】明細書
【補正対象項目名】００３９
【補正方法】変更
【補正の内容】
【００３９】
また、ステップ１０から、月経期間データ入力モードが始まる。被判定者は、アップキー４１ｃもしくはダウンキー４１ｄを押下することにより所望の日付けを選択する。ステップ１１では、被判定者により月経開始日キー４１ｅが押下されたかが判断され、押下されている場合には、ステップ１２において、ステップ１０で選択された日付けが月経開始日として記憶装置４４に記憶される。一方、ステップ１１でキーが押下されていない場合には、ステップ１３で、被判定者により月経終了日キー４１ｆが押下されたかが判断され、押下されている場合には、ステップ１４において、ステップ１０で選択された日付けが月経終了日として記憶装置４４に記憶される。
その後、ステップ９で、自動的に電源がオフにされ、入力は終了する。
【手続補正１２】
【補正対象書類名】明細書
【補正対象項目名】００４０
【補正方法】変更
【補正の内容】
【００４０】
次いで、本発明の更に別の実施例について説明する。図１２は、本発明に係る婦人用体調管理装置の第ニ実施例の外部構成を示す斜視図である。本実施例の婦人用体調管理装置５０は、体重計付き生体電気インピーダンス計と制御ボックスとに分離されていない両者一体型の構成となっており、また、体温測定が可能となっている点において図９に示した第一実施例のものとは異なっている。婦人用体調管理装置５０の上面には、定電流印加用電極５１ａ、５１ｂ、電圧測定用電極５２ａ、５２ｂと、操作キー５３と、表示部５４とが設けられている。そして、定電流印加用電極５１ａ、５１ｂの先端部には体温測定用センサー５５ａ、５５ｂが設けられており、これらのセンサーを両足の指の間に挟むことにより、体温を測定できるようになっている。体温の測定手段としては、体温測定用センサーに限られず、例えば耳測定式の赤外線体温計を婦人用体調管理装置５０に接続しても良く、また、舌下測定式の基礎体温計を接続して、より精密な測定を可能にしても良い。測定された体温は、ＢＩと共に、ＣＰＵで実施される婦人の月周期で現れる体調を判定するためのデータとして使用され、これによって、より正確な体調判定が可能となる。
【手続補正１３】
【補正対象書類名】明細書
【補正対象項目名】図面の簡単な説明
【補正方法】変更
【補正の内容】
【図面の簡単な説明】
【図１】
婦人の月周期で現れる体調と基礎体温及びホルモンの分泌との関係を示す図である。
【図２】
ＢＩ及び基礎体温の推移を示す図である。
【図３】
体重の推移を示す図である。
【図４】
ＢＩと体重との相関関係を示す図である。
【図５】
体重補正ＢＩの推移を示す図である。
【図６】
体重補正ＢＩと基礎体温との相関関係を示す図である。
【図７】
体重補正ＢＩと婦人の月周期で現れる体調と基礎体温の推移を示す図である。
【図８】
体重補正ＢＩと婦人の月周期で現れる体調と基礎体温の推移を示す図である。
【図９】
本発明に係る婦人用体調管理装置の第一実施例の外部構成を示す正面図である。
【図１０】
図２に示した婦人用体調管理装置の機能構成を示すブロック図である。
【図１１】
本発明に係る婦人の月周期で現れる体調を判定するための手順を示すフローチャートである。
【図１２】
本発明に係る婦人用体調管理装置の第ニ実施例の外部構成を示す斜視図である。
【符号の説明】
１０、５０  婦人用体調管理装置
２０    体重計付き生体電気インピーダンス計
２１ａ、２１ｂ、５１ａ、５１ｂ  定電流印加用電極
２２ａ、２２ｂ、５２ａ、５２ｂ  電圧測定用電極
２３    高周波定電流回路
２４    電圧測定回路
２５    体重測定装置
３０    電気ケーブル
４０    制御ボックス
４１    データ入力装置
４１ａ  電源スイッチ
４１ｂ  測定キー
４１ｃ  アップキー
４１ｄ  ダウンキー
４１ｅ  月経開始日キー
４１ｆ  月経終了日キー
４２    表示装置
４２ａ、５４  表示部
４２ｂ  アドバイス表示領域
４３    時計装置
４４    記憶装置
４５    ＣＰＵ
５５ａ、５５ｂ  体温測定用センサー
５３    操作キー